(57)【特許請求の範囲】
【請求項１】
外周に蒸発器を付設した製氷筒の内部に、上下中間部が大径部とされ、その外周に螺旋刃を有するオーガが配置され、前記製氷筒の上部に押圧頭が挿入固定され、該押圧頭の外周に突設された複数の隔壁と前記製氷筒の内周壁面との間に圧縮通路が形成され、また、前記隔壁の一部の下端部が半径方向に段違いに形成され、その内周側部分はオーガの螺旋刃を有する大径部の上方に位置し、且つ、その先端部が下方に先細の形状となっており、また、その外周側部分は前記製氷筒の内周壁面とオーガとの間に形成される隙間に位置し、且つ、その先端部が前記隙間を下方に向かって所定長さ延びる先細状の固定刃とされており、前記製氷筒の内周壁面に形成される氷がオーガで削り取られながら順次上方へ搬送され、前記固定刃を経て前記圧縮通路に送り込まれ、前記押圧頭の上端部より連続的に氷塊として送出されるオーガ式製氷機において、
前記外周側部分と前記内周側部分との間の段違い角部がアールに形成されていることを特徴とするオーガ式製氷機。
【請求項２】
前記隔壁の前記内周側部分が、押圧頭の側方から見てテーパ状の先細形状とされ、その先端部がアールに形成されていることを特徴とする請求項１記載のオーガ式製氷機。
【発明の詳細な説明】
【０００１】
【発明の属する技術分野】
本発明は、オーガ式製氷機に関し、特に押圧頭の外周に突設される隔壁の下端部の形状に関する。
【０００２】
【従来の技術】
従来のオーガ式製氷機としては、例えば実開昭５６−１６３２６９号公報に記載されたものがある。
このオーガ式製氷機は、上記公報の第１図の如く、製氷筒の上部に氷圧縮ヘッド（押圧頭）が挿入固定されている。該氷圧縮ヘッドの外周には側壁（隔壁）が突設され、該側壁と製氷筒の内周壁面との間に圧縮通路が形成されている。また、外周に蒸発器が巻裝された製氷筒の内部には、上下部が軸受け部に挿入される小径部とされ、中間部が大径部とされ、且つ、該大径部の外周に螺旋刃を有するオーガ機構（オーガ）が挿入されている。そして、製氷筒の内周壁面に氷結した氷は、オーガ機構の螺旋刃により削り取られながら順次上方へ搬送され、圧縮通路で圧縮されて、氷圧縮ヘッドの上部から氷塊として連続的に押し出されるものである。また、このオーガ式製氷機においては、氷圧縮ヘッドの手前で氷片がオーガ機構と同期回転して、その上昇が停止して氷塊の生成が困難となることを防止するために、氷圧縮ヘッドの外周に突設された側壁の下端部に所定の長さ下方に延びる突片（固定刃）が設けられている。
そして、オーガ機構から上方へ搬送されてきた氷が、突片により上方に案内されて圧縮通路に進行するように構成されている。
【０００３】
【発明が解決しようとする課題】
しかし、上述した従来のオーガ式製氷機では、突片が設けられた側壁の下端部は、オーガ機構の大径部の上方に位置する内周側部分が通常の側壁となっている。また、オーガ機構と製氷筒の内周壁面との間に形成される隙間に位置する外周側部分が突片となっている。従って、この内周側部分と突片（外周側部分）とが段違いに構成されている。ところが、この段違い角部については格別の配慮が施されていず、前記公報の第１図から分かるように、先鋭な直角に形成されている。
このため、オーガ機構から上方へ搬送されてきた氷が、突片により上方に案内されて圧縮通路に進行する際に、前記段違い角部が先鋭になっているため、氷がこの角部に押し付けられ付着し、氷の搬送を妨げる虞れがあった。
このように、段違い部の角部に氷が押し付けられると、製氷筒、氷圧縮ヘッド等の各部分に作用する荷重や、オーガ機構の駆動機構の駆動負荷等の製氷荷重が増大し、これら部品の寿命が短くなるという問題があった。また、氷の搬送が妨げられることにより、氷詰まりが生じて、製氷能力が低下したり、異常音や異常振動が発生したりするなどの虞れがあった。
【０００４】
本発明は、このような従来技術に存在する問題点に着目してなされたものである。その目的とするところは、押圧頭外周に突設された隔壁の下端部における氷の搬送抵抗を減少させることにより、氷詰まりによる製氷能力の低下や異常音や異常振動の発生を防止することにある。
【０００５】
【課題を解決するための手段】
上述の目的を達成するため、請求項１に記載の発明では、外周に蒸発器を付設した製氷筒の内部に、上下中間部が大径部とされ、その外周に螺旋刃を有するオーガが配置され、前記製氷筒の上部に押圧頭が挿入固定され、該押圧頭の外周に突設された複数の隔壁と前記製氷筒の内周壁面との間に圧縮通路が形成され、また、前記隔壁の一部の下端部が半径方向に段違いに形成され、その内周側部分はオーガの螺旋刃を有する大径部の上方に位置し、且つ、その先端部が下方に先細の形状となっており、また、その外周側部分は前記製氷筒の内周壁面とオーガとの間に形成される隙間に位置し、且つ、その先端部が前記隙間を下方に向かって所定長さ延びる先細状の固定刃とされており、前記製氷筒の内周壁面に形成される氷がオーガで削り取られながら順次上方へ搬送され、前記固定刃を経て前記圧縮通路に送り込まれ、前記押圧頭の上端部より連続的に氷塊として送出されるオーガ式製氷機において、前記外周側部分と前記内周側部分との間の段違い角部がアールに形成されているものである。
【０００６】
請求項２に記載発明では、前記隔壁の前記内周側部分が、押圧頭の側方から見てテーパ状の先細形状とされ、その先端部がアールに形成されているものである。
上記請求項１及び２においてアールとは、小径の円弧を意味し、以下本明細書においてアールと記載する。
【０００７】
従って、上記のように構成されたオーガ式製氷機では、運転時にオーガにより製氷筒の内周壁面に形成された氷をオーガの螺旋刃が削り取りながら順次上方へ搬送して、押圧頭の外周に形成された圧縮通路に送り込む際に、この氷が押圧頭の外周に形成された隔壁の下端部の外周側部分に形成された固定刃の側面に当接して、その抵抗によりオーガと一緒に回転することが阻止され、またこの固定刃の側面テーパ面により上方へ案内される。また、固定刃部分から圧縮通路に入る際、押圧頭に設けられた隔壁の外周側部分と内周側部分との段違い角部がアールに形成されているため、この段違い角部に氷が押し固められることがなく円滑に上方へ案内される。従って、氷の搬送抵抗が大きく低減され、内周側部分における氷詰まりによる製氷能力の低下、及び異常音や異常振動の発生が防止される。
【０００８】
また、請求項２に記載の発明の如く、テーパの先端部にも小さなアールを設けるとにより、取り扱い時の危険性が低減され、併せて製作性及び該テーパの先端部の強度が向上する。
【０００９】
【発明の実施の形態】
以下、本発明をオーガ式製氷機に具体化した実施の形態を図１〜図５に基づいて詳細に説明する。
図１においては、１はオーガ式製氷機の製氷筒である。この製氷筒１は、下部に給水管２を備える一方、外周には蒸発器３が巻装され、その外周を断熱材層４で囲撓されている。そして、製氷水は製氷筒１の内周壁面１ａ上に氷結し、薄氷層として形成される。
また、製氷筒１内には、上下端部が小径部とされ中間部が大径部とされたオーガ６が配置されている。このオーガ６は、前記下端部の小径部が軸受７で、また、前記上端部の小径部が押圧頭９の軸心部の孔に嵌入固定された軸受９ａで軸支されている。そして、このオーガ６は、大径部の外周には螺旋刃５が形成されている。このオーガ６は、製氷筒１の下部に設けられた駆動機構としてのギヤードモータ１９によって回転駆動されると、製氷筒１の内周壁面１ａに氷結した薄氷を螺旋刃５で削り取りながら、オーガ６の外周と製氷筒１の内周壁面１ａとの隙間１８を氷搬送通路として、氷を上方へ搬送している。
【００１０】
前記押圧頭９は、製氷筒１の上端部に挿入され、ねじ１４で着脱自在に固定されている。また、図２及び図３のように、押圧頭９の外周には比較的幅広の隔壁１６と幅狭の隔壁１７とが交互に配列され、これら隔壁１６、１７間に凹溝１５が各々形成され、押圧頭９が製氷筒１の上端部に挿入固定されることにより、前記凹溝１５が圧縮通路８として構成される。
前記幅狭の隔壁１７は、図６のごとく、押圧頭９の側面からみてその先端が先細テーパ状に形成されている。
また、前記幅広の隔壁１６は、図２〜図５から理解されるように、その下端部２０の底面において半径方向に段違いに形成され、内周側部分２０ｂがオーガ６の大径部の上部に位置し、外周側部分２０ａが製氷筒１内周壁面１ａとオーガ６との間に形成される隙間、即ち氷の搬送通路となる隙間１８に位置するように形成されている。
【００１１】
即ち、この外周側部分２０ａは、前記隙間１８内を下方に所定長さ延び、押圧頭９の側方から見て（図５参照）その形状が左右対称のテーパ状とされており、所謂固定刃２５として構成されている。尚、該固定刃２５の先端は、その強度を向上させるために小さいアールに形成されている。
また、前記内周側部分２０ｂは、押圧頭９の側方から見て（図５参照）その形状がテーパ状となる先細形状とさており、また、その先端は取り扱い時の安全性のために、また、加工性及び強度の向上のために小さなアールに形成され、オーガ６と接触しないようオーガ６の大径部の上方に位置している。
また、段差の角部２０ｃも小さなアールに形成されている（図４参照）。
上記のように構成される押圧頭９は、例えばロストワックス成型により製作される。
【００１２】
また、図１において、１２は、案内筒であって、押圧頭９から放出される圧縮固化氷を図示しない貯氷庫に搬送すべく案内するもので、Ｌ字型の放出通路１３を有している。該放出通路１３の下端部は製氷筒１の上端部に固定されている。また、放出通路１３の入口部内側には、押圧頭９から棒状の氷塊Ｐとして放出される圧縮固化氷を折って、所定形状とするためのカッタ１０が、前記オーガ６の上方の小径部の上端面に取り付けられ、該オーガ６と一体回転するように設置されている。
【００１３】
次に、上述したオーガ式製氷機の動作について説明する。駆動機構としてのギヤードモータ１９が運転され、製氷運転が開始されると、製氷筒１内には、給水管２から製氷水が製氷筒１内に供給される。そして、製氷筒１内に供給された製氷水は、製氷筒１の外周に巻装された蒸発器３によって熱を奪われ、製氷筒１の内周壁面１ａに徐々に薄氷となって氷結される。このように製氷筒１の内周壁面１ａに氷結した薄氷は、ギヤードモータ１２によって回転されるオーガ６の螺旋刃５によって掻き取られ、シャーベット状の氷となって及びの太実線矢印の如く上方に搬送される。そして、押圧頭９の手前で固定刃２５に当接し、その抵抗作用によって氷がオーガ６と一緒に回転することが阻止され、固定刃２５のテーパ面により上方の圧縮通路に案内される。
【００１４】
この際、隔壁１６の外周に突設された隔壁１６の下端部２０において、前記内周側部分２０ｂは下方に先細のテーパ状に形成されているので、オーガ６から上方に搬送されて来た氷が、内周側部分２０ｂのテーパ面に沿って上方の圧縮通路８内へ案内される。尚、このテーパの角度αは（参照）、４５〜８０度が理想的である。即ち、４５度以下では強度的に弱く、また、８０度以上では氷の搬送抵抗を低減することが殆ど期待できない。また、このテーパの先端部は小さなアールに形成されていることにより、取り扱い時の危険性が回避され、先端部の強度が確保され、製作性が向上される。また、実験的裏付けによりこのアールは０．５〜０．８ｍｍ程度が好ましいといえる。また、隔壁１６の下端部における段違い角部２０ｃにも小さなアールが形成されているので、オーガ６から固定刃２５に送り込まれた氷が、この角部２０ｃに氷結して強固に付着することがなく、この部分における氷搬送通路の断面変化部の氷の搬送抵抗が低減されている。また、実験的裏付けによりこのアールは２ｍｍぐらいが好ましいといえる。
【００１５】
このようにして、氷は圧縮通路８に搬送される。そして、ここを通過する際に硬度の高い透明な氷質に圧縮され、引き続き圧縮通路８内に入ってくる氷に押されて、圧縮通路８の上方へと移動し、押圧頭９の上端部より氷柱Ｐとして送り出される。そして、圧縮通路８の上方には、カッタ１０が設けられているため、氷柱Ｐは、このカッタ８によって所望の大きさに切断され、適当な大きさに切断されて、放出通路１３を通って図示しない貯氷庫に案内される。
【００１６】
【発明の効果】
本発明は以上の様に構成されているため、次の様な効果を奏する。請求項１に記載の発明によれば、押圧頭の外周に突設された隔壁の下端部における内周側部分と外周側部分との間の段違い角部がアールに形成されているため、段違い角部への氷の付着が回避され、氷の搬送抵抗が減少する。
また、請求項２記載の発明によれば、隔壁の下端部における内周側部分がテーパ状の先細形状とされ、段違い角部への氷の付着が回避され、氷の搬送抵抗が減少する。
【図面の簡単な説明】
【図１】  本発明の実施の形態に係るオーガ式製氷機の縦断面図である。
【図２】  図１記載のオーガ式製氷機における押圧頭回りの拡大断面図である。
【図３】  図１記載のオーガ式製氷機における押圧頭の平面図である。
【図４】  図１記載のオーガ式製氷機における押圧頭の外周に突設された比較的幅広の隔壁の下端部付近の拡大斜視図である。
【図５】  図４における隔壁を押圧頭側面から見た図面である。
【図６】  図１記載のオーガ式製氷機における押圧頭の外周に突設された幅狭の隔壁を押圧頭側面から見た図面である。
【符号の説明】
１…製氷筒、１ａ…製氷筒内周面、５…螺旋刃、６…オーガ、８…圧縮通路、９…押圧頭、１５…凹溝、１６…幅広の隔壁、１７…幅狭の隔壁、１８…オーガと製氷筒の内周壁面との間の隙間、２０…幅広の隔壁の下端部、２０ａ…幅広の隔壁の下端部の外周側部分、２０ｂ…幅広の隔壁の下端部の内周側部分、２０ｃ…幅広の隔壁の下端部の段違い角部。
【図１】
0003868563.tif 000002
【図２】
0003868563.tif 000003
【図３】
0003868563.tif 000004
【図４】
0003868563.tif 000005
【図５】
0003868563.tif 000006
【図６】
0003868563.tif 000007